(57)【要約】  【課題】  乳幼児が成長すると、成長に応じて乳幼児に適合する枕の高さが変わる。しかし、これまでに提案された乳幼児用枕は高さを調整することができないので、乳幼児の成長により高さが合わなくなると、枕を買い換えなければならない。枕の買い替えを行わなくても、乳幼児に適した高さの乳幼児用枕を提供することを目的とする。  【解決手段】  本考案の乳幼児用枕は、充填材の充填量に応じて膨張する充填部を複数個所に形成している。乳幼児用枕を折り返して、これらの充填部を重ね合わせることで枕の高さを高くすることができる。また、充填部自身の高さも変えることができるように、各充填部間を充填材が移動することができるように、各充填部は連通されている。よって、連通部を介して他の充填部に充填材を流出させたり、他の充填部から充填部を流入させたりして充填部の充填量を増減させることで、各充填部の高さを調整することができる。  【選択図】  図１
0003112600.tif 000002
【実用新案登録請求の範囲】
【請求項１】
充填材の充填量に応じて膨張する充填部が複数個所に形成された乳幼児用枕であって、
複数の充填部間を上記充填材が移動できるように各充填部を連通する連通部を備えたことを特徴とする乳幼児用枕。
【請求項２】
上記複数の充填部には、平面視が略弧状である充填部と、平面視が上記略弧状の充填部に対応する大きさのドーナツ状である充填部が含まれる請求項１に記載の乳幼児用枕。
【考案の詳細な説明】
【技術分野】
【０００１】
本考案は、乳幼児の成長に応じて高さを調整できる乳幼児用枕に関する。
【背景技術】
【０００２】
近年、乳幼児の頭部の発育を考慮して様々な種類の乳幼児用枕が提案されている。例えば、代表的なものとして、図６に示すように、後頭部が載置される中央部の窪んだ円形状の枕２００が挙げられる。乳幼児を寝かせる際に、この窪んだ部分に後頭部を載せると、後頭部全体が枕と接し、頭の重みを後頭部全体で受け止めることができる。そのため、後頭部の一部分のみが枕やベッドに強く圧迫されることがなく、乳幼児の後頭部の成長の阻害を防ぐことができる。
【考案の開示】
【考案が解決しようとする課題】
【０００３】
しかし、乳幼児が成長すると枕を高くする必要があるが、これまでに提案された乳幼児用枕は高さを調整することができないので、乳幼児の成長により高さが合わなくなると、枕を買い換えなければならない。高さが合わなくなる度に枕を買い換えると、経済的な負担が発生するだけでなく古い枕を処分しなければならない。
【０００４】
そこで、本考案は、枕の買い替えを行わなくても、乳幼児に適した高さの乳幼児用枕を提供することを目的とする。
【課題を解決するための手段】
【０００５】
本考案の乳幼児用枕は、充填材の充填量に応じて膨張する充填部が複数個所に形成されている。この充填部は、乳幼児の頭部が載置される箇所となる。乳幼児用枕を折り返して複数個所に設けられた充填部を重ね合わせると、乳幼児用枕の高さを高くすることができる。よって、乳幼児が成長して高さの高い枕が必要となった場合は、充填部を重ね合わせることで、乳幼児用枕は成長した乳幼児にも適合した高さの枕となる。
【０００６】
また、充填部を重ね合わせるだけでなく、各充填部の高さを変えることで枕としての高さを調整できるように、各充填部間は充填材が移動できるように連通部で連通されている。充填量が増減すると充填部は膨張又は収縮して高さが変化するので、例えば、乳幼児の頭部が載置される充填部に対して充填材を流入させたり流出させたりして充填量を増減することで、充填部を乳幼児に適した高さにすることができる。よって、充填材の充填量で高さの調整ができるので、乳幼児用枕は、高さを無段階に調整することができる。
【０００７】
複数の充填部のうち少なくとも１つは、乳幼児の頭部が載置される頭部載置部となっている。頭部載置部となる充填部は、乳幼児の後頭部の成長を阻害せず、且つ、乳幼児が自然な体勢で寝ることができるように、平面視が略弧状に形成されている。
【０００８】
乳幼児を寝かせるときは、略弧状の充填部の内側の位置に後頭部を載せ、後頭部を載せた位置から充填部の形成されていない方向に乳幼児の胴体を向ける。このように乳幼児を寝かせると、後頭部全体と枕が接するために頭の重みを後頭部全体で受け止めて後頭部の圧迫を防ぐことができ、且つ、乳幼児の首や肩が充填部に載って不自然な体勢となることもない。
【０００９】
また、充填部を重ねて使用する際に、乳幼児の頭部が直接載置される最も上側に位置する充填部は、上記のように略弧状の頭部載置部であることが望ましいが、最も上側の充填部を載置する下側の充填部の形状は、充填材の節約の観点から、最も上側の略弧状の充填部を載せることができるドーナツ状が望ましい。ドーナツ状にすると、頭部載置部を載せることができると共に、中央部を充填材で充填する必要がないので充填材が少なくてすむと共に、乳幼児用枕の重量を軽くすることができる。
【考案の効果】
【００１０】
以上のように、本考案の乳幼児用枕は、高さを調整することができるので、乳幼児の成長のたびに新たな枕を購入しなくても、乳幼児の成長に合わせて高さを合わせた枕を乳幼児に提供することができる。
【考案を実施するための最良の形態】
【００１１】
図１は、本実施の形態の乳幼児用枕１００の斜視図である。図１に示すように、乳幼児用枕１００は、中央にドーナツ状の台座部１０３と、台座部１０３の両側に略弧状の頭部載置部１０４、１０５とが形成されている。図２に示すように、台座部１０３及び頭部載置部１０４、１０５は、台座部１０３及び頭部載置部１０４、１０５の表面、裏面を形成する織布１０１、１０２と、織布１０１、１０２の間に形成された充填部１０３ａ、１０４ａ、１０５ａとで構成されている。充填部１０３ａ、１０４ａ、１０５ａには、ポリスチレンビーズなどの充填材１０７が充填されている。
【００１２】
更に、充填材１０７が各充填部１０３ａ、１０４ａ、１０５ａ間を移動できるように、各充填部１０３ａ、１０４ａ、１０５ａは連通部１０８で連通されている。
【００１３】
頭部載置部１０４、１０５の充填部１０４ａ、１０５ａは、平面視が略弧状となっており、充填部１０４ａ、１０５ａに充填材１０７が充填されることで、図１に示すように、頭部載置部１０４、１０５は、略弧状に膨れ上がるようになる。
【００１４】
一方、台座部１０３の充填部１０３ａは、平面視がドーナツ状となっており、充填部１０３ａに充填材１０７が充填されることで、図１に示すように、台座部１０３は、ドーナツ状に膨れ上がるようになる。
【００１５】
頭部載置部１０４、１０５が略弧状に膨れ上がるようにするのは、乳幼児の後頭部の成長を阻害せず、乳幼児が自然な体勢で寝ることができるようにするためである。即ち、乳幼児を寝かせるときは、図３に示すように、頭部載置部１０４、１０５の内側となる窪んだ位置に後頭部を載せると、後頭部全体と枕が接し、頭の重みを後頭部全体で受け止めることができるので、乳幼児の後頭部を圧迫する力を大幅に抑えることができる。また、頭部載置部１０４、１０５の内側の後頭部を載せた位置から充填部１０４ａ、１０５ａの形成されていない方向に乳幼児の胴体を向けると、乳幼児の首が頭部載置部１０４、１０５に載ることがなく、頭部載置部１０４、１０５によって必要以上に高い位置に首や肩が押し上げられることがないので、乳幼児は自然な体勢で寝ることができる。
【００１６】
本考案の乳幼児用枕１００は、乳幼児が成長して、枕としての高さが頭部載置部１０４、１０５の高さでは足らなくなると、例えば、図４に示すように、２折りにして頭部載置部１０４、１０５を重ね合わせ、頭部載置部１０４に乳幼児の後頭部を載せるようにする。このように、乳幼児用枕１００を折り返して頭部載置部１０４、１０５を重ねることによって、図４に示すように、乳幼児用枕１００を高くすることができるので、乳幼児用枕１００は、成長した乳幼児にも適した高さの枕となる。
【００１７】
また、２つの頭部載置部１０４、１０５を重ねるだけでは高さが足らない場合は、例えば、図５に示すように、頭部載置部１０４、１０５と台座部１０３を重ね合わせて乳幼児用枕１００を使用してもよい。尚、図４、５では、頭部載置部１０４、１０５のうち頭部載置部１０４を上側にして乳幼児用枕１００を使用している状態を示しているが、もちろん頭部載置部１０５を上側にして乳幼児用枕１００を使用してもよい。
【００１８】
このように頭部載置部１０４、１０５に台座部１０３を重ねて使用する場合、台座部１０３の果たす機能は、頭部載置部１０４、１０５を載置して頭部載置部１０４、１０５の位置を高くすることである。この観点からすると、台座部１０３の形状はドーナツ状に限定されるものでないが、ドーナツ状とするのは、充填材１０７の節約及び乳幼児用枕１００の軽量化の観点から少量の充填材１０７で頭部載置部１０４、１０５を台座部１０３に載置できるようにするためである。
【００１９】
また、台座部１０３、頭部載置部１０４、１０５の充填部１０３ａ、１０４ａ、１０５ａは、それぞれが連通部１０８によって連通されており、各充填部１０３ａ、１０４ａ、１０５ａ間を充填材１０７が移動できるようになっている。よって、連通部１０８を介して各充填部１０３ａ、１０４ａ、１０５ａに充填された充填材１０７を他の充填部１０３ａ、１０４ａ、１０５ａに移動させて、各充填部１０３ａ、１０４ａ、１０５ａの充填量を増減させることで、各充填部１０３ａ、１０４ａ、１０５ａを膨張させたり伸縮させたりすることができる。
【００２０】
従って、例えば、図４に示すように、頭部載置部１０４、１０５を重ねると高さが高くなり過ぎ、重ねないと低くすぎる場合は、充填部１０３ａ、１０５ａの充填材１０７を充填部１０４ａに流入させて充填部１０４ａの充填量を増やして、頭部載置部１０４、１０５を重ねなくても頭部載置部１０４の高さが乳幼児に適した高さとなるようにして乳幼児用枕１００を使用することができる。
【００２１】
このように、充填部１０３ａ、１０４ａ、１０５ａ間で充填材１０７を移動させて、充填部１０３ａ
、１０４ａ、１０５ａの充填量を変えるだけで、頭部載置部１０４、１０５や台座部１０３の高さを変えることができるので、本考案の乳幼児用枕１００は、頭部載置部１０４、１０５や台座部１０３を重ねることでは調整できないような高さの微調整も可能となる。また、この微調整は充填部１０３ａ、１０４ａ、１０５ａ間の充填材１０７の移動で行うため、高さの微調整の度に充填部１０３ａ、１０４ａ、１０５ａに充填材をつぎ足したり、充填部１０３ａ、１０４ａ、１０５ａから充填材１０７を抜き出したりする必要がないので、高さの微調整は容易に行うことができる。
【００２２】
尚、図１に示すように本実施の形態の乳幼児用枕１００は、充填部１０３ａ、１０４ａ、１０５ａを３つ備えているが、本考案の乳幼児用枕が備える充填部の数は３つに限定されるものではない。例えば、図７に示すように、本考案の乳幼児用枕は、略弧状の充填部２０１ａ、２０２ａを備えた頭部載置部２０１、２０２を２つ備えるようにしてもよい。
【図面の簡単な説明】
【００２３】
【図１】充填部を３つ備える乳幼児用枕の斜視図。
【図２】乳幼児用枕のＤ−Ｄ断面図。
【図３】乳幼児用枕の使用状態を示した図。
【図４】充填部を重ねあわせて使用した状態を示した図。
【図５】乳幼児用枕の使用状態を示した図。
【図６】従来の乳幼児用枕の斜視図。
【図７】充填部を２つ備える乳幼児用枕の斜視図。
【符号の説明】
【００２４】
１００  乳幼児用枕
１０１、１０２  織布
１０３  台座部
１０４、１０５、２０１、２０２頭部載置部
１０３ａ、１０４ａ、１０５ａ、２０１ａ、２０２ｂ  充填部
１０７  充填材
１０８  連通部
【図１】
0003112600.tif 000003
【図２】
0003112600.tif 000004
【図３】
0003112600.tif 000005
【図４】
0003112600.tif 000006
【図５】
0003112600.tif 000007
【図６】
0003112600.tif 000008
【図７】
0003112600.tif 000009